(57)【要約】      （修正有）【課題】着用者の要部及び臀部を幅広く支持することのできる腰部及び臀部のサポータを提供する。【解決手段】弾性のある腰部バンド部分２と、弾性のある臀部バンド部分５と、これらのバンド部分を着用者に装着する装着部分６からなる腰部及び臀部のサポータである。前記腰部バンド部分２は、第１腰部バンド３と第２腰部バンド４の２本の広幅弾性バンドからなり、前記各バンド３，４は、それぞれの両端部２１では固定されて１本分の幅であるが、中央部２２では連結片２３により固定されて約２本分の最大幅となる。前記臀部バンド部分５は、不使用時には、前記両端部２１に取り付けられた両端支持バンド５１のみにより支持されている。【選択図】図１
2014212868.tif 000002
【特許請求の範囲】
【請求項１】
弾性のある腰部バンド部分（２）と、弾性のある臀部バンド部分（５）と、これらのバンド部分を着用者に装着する装着部分（６）からなる腰部及び臀部のサポータであって、
前記腰部バンド部分（２）は、第１腰部バンド（３）と第２腰部バンド（４）の２本の広幅弾性バンドからなり、前記各バンド（３，４）は、それぞれの両端部（２１）では固定されて１本分の幅であるが、中央部（２２）では連結片（２３）により固定されて約２本分の最大幅となり、
前記臀部バンド部分（５）は、不使用時には、前記両端部（２１）に取り付けられた両端支持バンド（５１）のみにより支持されている
ことを特徴とする腰部及び臀部のサポータ。
【請求項２】
前記連結片（２３）に対して腰パット（２５）が着脱自在に設定可能である請求項１記載のサポータ。
【発明の詳細な説明】
【技術分野】
【０００１】
本発明は、腰部及び臀部のサポータに関する。このサポータは、体型・姿勢の矯正という美容面、腰痛の防止・治療や骨盤矯正という医療面に効果を有する。
【背景技術】
【０００２】
上記目的を有するサポータやベルトは従来多数知られている。たとえば、本出願人の特許である特許第３８９６５２７号（特開２００４-１２１２７８）では、長手方向に伸縮性を有する主帯（１）、副帯（２）、連結帯（３）からなる腰用サポータを開示している。
【０００３】
前記主帯は、長手方向に伸縮性を有する主帯基部に、着用者の腰部背面に当接する腰当部を備え、該主帯基部の両端に係脱手段を備え、また、前記主帯基部の両端部外面には後記副帯との係脱手段を備えたものとしている。
【０００４】
前記副帯は、その両端部内面に、前記主帯の係脱手段に対応する係脱手段を備えたものとし、前記副帯の内面の短手方向の一部と、前記主帯の外面の短手方向の一部とを固着している。
【０００５】
さらに、着用時における脇腹位置から腹部位置の間において、連結帯の一端を前記主帯に、連結帯の他端を副帯に固着して、主帯及び副帯の間に、架橋している。
【先行技術文献】
【特許文献】
【０００６】
【特許文献１】特開２００４-１２１２７８
【発明の概要】
【発明が解決しようとする課題】
【０００７】
上記従来技術では、着用時における脇腹位置から腹部位置の間において、主帯及び副帯の間を連結帯が架橋している。この発明は優れたものであるが、次のような点で改良が望まれた。すなわち、主帯の幅に限界があって腰部が十分にカバーできなかった。また、主帯及び副帯が中央部の補強片により固着されているため、副帯が臀部を十分にカバーできなかった。
【０００８】
本発明は上記従来技術の上記問題点を改良したものであって、着用者の要部及び臀部を幅広く支持することのできる腰部及び臀部のサポータを提供することを目的とする。
【課題を解決するための手段】
【０００９】
本発明の腰部及び臀部のサポータは、弾性のある腰部バンド部分と、弾性のある臀部バンド部分と、これらのバンド部分を着用者に装着する装着部分からなり、前記腰部バンド部分は、第１腰部バンドと第２腰部バンドの２本の広幅弾性バンドからなり、前記各バンドは、それぞれの両端部では固定されて１本分の幅であるが、中央部では連結片により固定されて約２本分の最大幅となり、前記臀部バンド部分は、不使用時には、前記両端部に取り付けられた両端支持バンドのみにより支持されていることを特徴とする（請求項１）。
【００１０】
好ましくは、前記連結片に対して腰パットが設定可能である（請求項２）。
【発明の効果】
【００１１】
本発明によれば、腰部バンド部分が実質的に従来の２本分の広さをカバーするので、腰部が幅広くサポートされる。そのため、腰痛の予防や治療に役立てることができる。
【００１２】
また、臀部バンド部分と腰部バンド部分は、本体部分で分離しているので、腰部バンド部分を着用者の体型に合わせて比較的自由に設定することができる。そのため、本発明のサポータを使用すれば、臀部が適度に持ち上げられるので、体型の修正に簡単に用いることができる。
【００１３】
さらに、請求項２の発明によれば、腰パットを使用することにより姿勢の矯正を意識することなく容易に行うことができる。
【００１４】
以下、添付の図面に基づき、本発明の１実施例を説明する。
【図面の簡単な説明】
【００１５】
【図１】本発明の１実施例に係るサポータの正面図である。
【図２】図１の背面図である。
【図３】サポータ着用途中にある着用者腹部の正面図である。
【図４】サポータ着用完成時の着用者腹部の正面図である。
【図５】サポータ着用完成時の着用者腹部の背面図である。
【発明を実施するための形態】
【００１６】
図１、図２に示すように、この実施例のサポータ１は、弾性のある腰部バンド部分２と、弾性のある臀部バンド部分５と、これらのバンド部分を着用者に装着する装着部分６からなる。
【００１７】
腰部バンド部分２は、第１腰部バンド３と第２腰部バンド４の２本の広幅弾性バンドからなる。１本の幅は５〜１０ｃｍ程度が好ましい。２本のバンド３，４は、それぞれの両端部２１では固定されて１本分の幅であるが、中央部２２では２本分の最大幅（１０〜２０ｃｍ）となり広い面積をカバーしている。この最大幅の部分で連結片２３により縫合固定されているので、２本の腰部バンド部分３，４の形状は変形せず一定である。本発明では、腰部バンド部分２は上記従来技術の腰部バンド部分と比較して約２倍の最大幅を有するため、幅広く腰部をサポートすることができる。
【００１８】
本発明にとって必須ではないが、この連結片は面ファスナ付着可能な布としておくことが好ましい。この連結片に対して面ファスナ２４を有する腰パット２５を付着可能としておけば、腰パット２５が付着時に背中を押圧するので姿勢の矯正に役立てることができる。腰パットはこの実施例では上下面を除き各面が台形の変形６面体である（図５参照）が、背中に適当な押圧力を与えるものであれば、形状や大きさに制限はない。
【００１９】
固定された２本のバンド両端２１からは、腰部バンドとほぼ同じ幅の装着部分６が左右に伸びている。装着部分６の片面には面ファスナ６１が、他方の片面には面ファスナ付着布６２が取り付けられている。
【００２０】
上記２本のバンド両端２１に取り付けられた支持バンド５１を介して臀部バンド部分５が垂れ下がっている。臀部バンド部分５の片面にも面ファスナ５２が取り付けられている。臀部バンド部分５も腰部バンド部分２とほぼ同じ幅の広幅弾性バンドである。本発明では、前記従来技術と異なり、臀部バンド部分５は腰部バンド部分２と本体部において連結されていないので、比較的に自由に位置を設定することができる。
【００２１】
上記の弾性のある広幅バンド２，５としては、緯糸として多数のゴムバンド糸を使用して織成した弾力布が使用可能であるが、幅方向に規則的に隙間をあけることにより、通気性を確保することが好ましい。また、ゴムバンド糸は摩擦力の大きいものを使用することがズレを防ぐ上で好ましい。
【００２２】
上記の各種面ファスナとしては、例えば次のようなものを使用することができる。
【００２３】
（１）ポリエステル繊維、ポリアミド繊維、ポリオレフィン系繊維、塩化ビニル系繊維などから選ばれた合成繊維を編織して得た編織製基材の一面に鈎状、きのこ状、ループ状の係合素子群を有する織製または編製面ファスナ、
【００２４】
（２）ポリエステル、ポリアミド、ポリオレフィン、塩化ビニル系重合体、ポリウレタンなどの熱可塑性樹脂、あるいは熱硬化性樹脂を成形して得たシート状基材の一面に鈎状、きのこ状、膨頭状、角状、棒状などの係合素子群を有する成形面ファスナ。
【００２５】
次に図３〜図６により、装着方法について述べると、まず、図３、図４に示すように、装着部分６が装着者の前面に来るようにサポータの腰部バンド部分２を巻き付け、装着部分６の左右面ファスナ６１，６２で止める。
【００２６】
この状態では臀部バンド部分５は垂れ下がっている状態なので、図５に示すように臀部に当てて引き上げるようにしながら、図３、図４に示すように臀部バンド部分５の面ファスナ５２を腰部バンド部分２の装着部分６に付着させる。
【００２７】
臀部バンド部分５は腰部バンド部分２と本体部において連結されていないので、着用者の臀部サイズに応じて自由に取り付け位置を設定することができる。
【符号の説明】
【００２８】
１     サポータ
２     腰部バンド部分
２１   両端部
２２   中央部
２３   連結片
２４   面ファスナ
２５   腰パット
３     第１腰部バンド
４     第２腰部バンド
５     臀部バンド部分
５１   支持バンド
５２   面ファスナ
６     装着部分
６１   面ファスナ
６２   面ファスナ付着布
【図１】
2014212868.tif 000003
【図２】
2014212868.tif 000004
【図３】
2014212868.tif 000005
【図４】
2014212868.tif 000006
【図５】
2014212868.tif 000007